【手続補正書】
【提出日】平成26年3月26日(2014.3.26)
【手続補正１】
【補正対象書類名】明細書
【補正対象項目名】０００９
【補正方法】変更
【補正の内容】
【０００９】
上記目的を達成するため、本発明は、遊技球が流下する遊技領域を有する遊技盤と、前記遊技領域に設けられた始動口と、前記始動口に遊技球が入賞したことに基づいて、特別図柄の当否に係る抽選を行う特別図柄抽選手段と、この特別図柄抽選手段による抽選で特図当たりに当選した場合に、その当選に係る特別図柄の種類を複数の中から決定する特別図柄種類決定手段と、特別図柄を所定の時間だけ変動表示させた後に前記特別図柄抽選手段の抽選結果に対応する態様で特別図柄を停止表示する特別図柄表示装置と、前記特別図柄の変動時間を含む変動パターンのコマンドを遊技毎に決定する変動パターンコマンド決定手段と、前記遊技領域に設けられ、遊技球が内部を通過可能なスルーチャッカと、このスルーチャッカを遊技球が通過したことに基づいて、普通図柄の当否に係る抽選を行う普通図柄抽選手段と、前記始動口の入口に設けられ、前記普通図柄抽選手段による抽選で普図当たりに当選した場合に開閉して、遊技球の前記始動口への入賞を容易とする普通電動役物と、前記遊技領域に設けられた特別電動役物と、前記特別図柄抽選手段による抽選で前記特図当たりに当選した場合に、前記特別電動役物を所定回数だけ開閉して大当たり遊技を提供する大当たり遊技制御手段と、遊技に関する演出および予告を表示する演出表示装置と、複数種類の演出態様が前記変動パターンと予め対応づけられて記憶された演出態様記憶部と、遊技毎に決定された前記特別図柄の変動時間に対応づけられている演出態様の中から前記演出表示装置に表示するように制御される演出態様を決定する演出態様決定手段と、複数種類の予告パターンが記憶された予告テーブルと、この予告テーブルを参照して遊技に用いる予告パターンを決定させるとともに、当該決定した予告パターンを前記演出表示装置へ表示するように制御する予告表示制御手段と、を備え、前記特別図柄抽選手段による抽選をするために用いるテーブルであって、特図当たりに当選する確率が低い特別図柄低確率判定テーブルと、この特別図柄低確率判定テーブルより特図当たりに当選する確率が高い特別図柄高確率判定テーブルと、前記特別図柄が変動中である場合に、前記特別図柄抽選手段による抽選の当否に基づく判定をしないように該判定を要するものを保留として順次記憶する特別図柄用保留記憶部と、を有し、前記普通図柄抽選手段による抽選をするために用いる判定テーブルであって、普図当たりに当選する確率が低い普通図柄低確率判定テーブルと、この普通図柄低確率判定テーブルより普図当たりに当選する確率が高い普通図柄高確率判定テーブルと、を有し、前記特別図柄抽選手段による判定の結果に基づく遊技状態として、前記特別図柄低確率判定テーブルを参照する特図通常遊技状態と、前記特別図柄高確率判定テーブルを参照する特図高確率遊技状態と、が用意され、前記普通図柄抽選手段による判定の結果に基づく遊技状態として、前記普通図柄低確率判定テーブルを参照する普図通常遊技状態と、前記普通図柄高確率判定テーブルを参照する普図高確率遊技状態と、が用意されており、所定条件を達成することにより、前記特別図柄に係る遊技状態を前記特図通常遊技状態と前記特図高確率遊技状態の何れかに設定し、前記普通図柄に係る遊技状態を前記普図通常遊技状態と前記普図高確率遊技状態の何れかに設定する遊技状態設定手段を備えているとともに、前記特別図柄用保留記憶部に記憶される前記保留を前記判定前に先読みすることに基づいて先読みコマンドを決定する構成を備え、前記特別図柄の種類の決定に基づいて、前記大当たり遊技後に前記普図高確率遊技状態が継続する特定遊技区間を設定するパチンコ機において、前記特別図柄の変動時間には、該変動時間内で前記演出態様がリーチとならない場合のリーチ無し変動時間と、このリーチ無し変動時間より長い時間であって、該変動時間内で前記演出態様がリーチとなる場合のリーチ有り変動時間とがあり、前記特別図柄用保留記憶部の記憶個数のそれぞれに対応付けられた前記リーチ無し変動時間が異なる変動パターンの場合を含んで構成された第１変動時間テーブルと、前記特別図柄用保留記憶部の記憶個数のそれぞれに対応付けられた前記リーチ無し変動時間が同一の時間ｔ１となるような変動パターンに基づいて構成された第２変動時間テーブルと、を有し、前記時間ｔ１は、前記第１変動時間テーブルに記憶されている前記リーチ無し変動時間のうち最も短い時間以下となるように設定されており、前記遊技状態設定手段が前記特別図柄および前記普通図柄に係る遊技状態を前記特図通常遊技状態および前記普図通常遊技状態にそれぞれ設定した通常遊技状態において、前記変動パターンコマンド決定手段は、前記演出態様がリーチとならない場合の前記特別図柄の変動時間を含むコマンドを、前記第１変動時間テーブルを参照して決定し、前記大当たり遊技後の前記特定遊技区間において、前記変動パターンコマンド決定手段は、前記演出態様がリーチとならない場合の前記特別図柄の変動時間を含むコマンドを、前記第２変動時間テーブルを参照して決定し、前記予告表示制御手段は、前記特定遊技区間中に、前記リーチ有り変動時間に対応して前記リーチとなる演出態様が表示される場合には、該変動時間内でリーチとなる演出態様の表示開始前に前記予告パターンが表示されることのないようにし、前記特別図柄用保留記憶部に記憶されている前記保留の先読み（以下、「先読み対象保留」という）に基づいて、前記特別図柄の変動時間が前記リーチ有り変動時間である旨の前記先読みコマンドが決定されるとともに、前記先読み対象保留より先に記憶されている前記保留（以下、「先行保留」という）に基づいて決定される前記先読みコマンドが、全て、前記特別図柄の変動時間が前記リーチ無し変動時間である旨のものと決定される場合に、前記先行保留の個数に応じた前記予告テーブルを参照させ、当該参照に基づいて決定した予告パターンを前記演出表示装置へ表示するように制御することを特徴としている。
【手続補正２】
【補正対象書類名】明細書
【補正対象項目名】００１０
【補正方法】変更
【補正の内容】
【００１０】
本発明によれば、特定遊技区間中は、リーチとならない場合の特別図柄の変動時間を通常遊技状態の場合より短い時間ｔ１としているうえ、演出表示装置にリーチとなる演出態様が表示される場合であっても、そのリーチとなる演出態様の表示開始前に予告パターンが表示されることがない。つまり、リーチとなる演出であっても、予告はカットされている。よって、本発明によれば、次の大当たり遊技までの所要時間を短縮することができる。
【手続補正３】
【補正対象書類名】明細書
【補正対象項目名】００１１
【補正方法】変更
【補正の内容】
【００１１】
ここで、変動時間を短くしたり、予告をカットしたりすると、次の大当たり遊技までの所要時間は短縮されるものの、短い変動時間では遊技が単調となるうえ、遊技者を惹き付けるような演出を行うことが困難となる。その結果、遊技者に退屈な遊技を強いることに成り兼ねない。これを解決するために、本発明では、変動パターンコマンド決定手段が、保留について先読みコマンドを決定し、その先読みコマンドが特定のものである場合に、先に記憶されている保留に基づく遊技において予告を行うようにしている。
【手続補正４】
【補正対象書類名】明細書
【補正対象項目名】００１２
【補正方法】変更
【補正の内容】
【００１２】
より具体的に言うと、特別図柄用保留記憶部に記憶されている保留の中に、先読み対象保留が含まれている場合であって、その先読み対象保留より先に記憶されている先行保留に対する先読みコマンドが、全て、特別図柄の変動時間がリーチ無し変動時間である旨のものである場合には、先行保留の個数に応じた予告テーブルを参照して予告パターンを決定し、予告表示制御手段は、先行保留に基づく遊技が行われている間に、その決定に係る予告パターンを表示するよう制御している。端的に言うと、本発明は、演出態様がリーチとなる特別図柄の変動よりも前に行われる特別図柄の変動中の時間を利用して、予告を行っているのである。
なお、第２変動時間テーブルにおいて、リーチ無し変動時間が全て同一の時間ｔ１となるようにしたことで、先読み対象保留までの待機時間の計算が先行保留の個数に応じて可能となる。その為、この計算結果に基づいて予告パターンを当該待機時間のどこで発生させるかのタイミングのコントロール制御を向上させることができるようになる。
【手続補正５】
【補正対象書類名】明細書
【補正対象項目名】００１３
【補正方法】変更
【補正の内容】
【００１３】
このように、本発明によれば、リーチ有り変動時間を長くして予告を行う時間を確保しなくても、先行保留に基づく遊技の時間、即ち、最大で、（保留の上限個数−１）ｘ時間ｔ１で求められる時間を、先読み対象保留に係る遊技の予告として用いることができるのである。よって、本発明によれば、先行保留に係る遊技中に、予告を行って期待感を煽ることにより演出面の面白さを維持しつつ、予告を行うためにリーチ有り変動時間を長くしなくても済むので、次の大当たりまでの時間を短縮することができる。
【手続補正６】
【補正対象書類名】明細書
【補正対象項目名】００１６
【補正方法】変更
【補正の内容】
【００１６】
また、上記構成において、所定の前記特別図柄の決定に応じて、前記普図高確率遊技状態が継続する予め定められたＮａ回の遊技に基づく特定遊技区間が設定され、前記大当たり遊技後に該特定遊技区間における遊技が継続している場合であって、前記先読み対象保留に基づく遊技の順番が、前記特定遊技区間の開始から前記Ｎａ回目に相当するものである場合には、前記先読み対象保留に係る前記先読みに基づいて、前記特図当たりである旨の先読みコマンドが決定されるときにおいて、前記予告表示制御手段は、前記先行保留に基づく遊技が行われている間に、前記予告パターンを表示するよう制御する構成とすると、遊技者は、特定遊技区間の終了間際に予告パターンが表示された場合にはＮａ回目に大当たり遊技になることが前もって分かるので、より一層遊技に惹き付けられ、趣向性が高まる。
【手続補正７】
【補正対象書類名】明細書
【補正対象項目名】００１７
【補正方法】変更
【補正の内容】
【００１７】
また、上記構成において、前記予告パターンには、１回の表示時間が前記時間ｔ１以内となるように構成された複数種類の単位予告演出のうち１つで構成された単発予告パターンと、複数個を組み合わせて構成された連続予告パターンと、が含まれ、前記予告表示制御手段は、前記先行保留に基づく遊技が行われている間に、前記決定に係る予告パターンを表示するよう制御し、前記先行保留が１個の場合には、前記単発予告パターンの中から何れかを決定し、その決定に係る単発予告パターンを前記１個の先行保留に基づく遊技中に表示するよう制御し、前記先行保留が複数個の場合には、前記連続予告パターンの中から何れかを決定し、その決定に係る連続予告パターンを、遊技毎に１つの前記単位予告演出を表示するようにして、前記複数個の先行保留に基づく複数回の遊技に亘って、前記複数個の単位予告演出を順次表示するよう制御する構成にすると、予告演出がバリエーションに富んだものとなり、遊技の趣向性が高まるといった利点がある。
【手続補正８】
【補正対象書類名】明細書
【補正対象項目名】００１８
【補正方法】変更
【補正の内容】
【００１８】
また、上記構成において、前記通常遊技状態での遊技が行われている通常遊技区間中に、前記変動パターンコマンド決定手段が、遊技毎における前記変動パターンのコマンドを、前記特別図柄の変動時間が前記リーチ有り変動時間とする旨を含むものに決定した場合に、前記予告表示制御手段は、前記リーチ有り変動時間に対応付けられた前記演出態様が表示される前に、前記単発予告パターンまたは前記連続予告パターンを前記演出態様の予告として表示するよう制御する構成にすると、予告のデータをリーチとなる演出態様が行われる場合の予告演出としても用いることができるので、データ量の削減を図ることができる。
【手続補正９】
【補正対象書類名】特許請求の範囲
【補正対象項目名】全文
【補正方法】変更
【補正の内容】
【特許請求の範囲】
【請求項１】
遊技球が流下する遊技領域を有する遊技盤と、前記遊技領域に設けられた始動口と、
前記始動口に遊技球が入賞したことに基づいて、特別図柄の当否に係る抽選を行う特別図柄抽選手段と、
この特別図柄抽選手段による抽選で特図当たりに当選した場合に、その当選に係る特別図柄の種類を複数の中から決定する特別図柄種類決定手段と、
特別図柄を所定の時間だけ変動表示させた後に前記特別図柄抽選手段の抽選結果に対応する態様で特別図柄を停止表示する特別図柄表示装置と、
前記特別図柄の変動時間を含む変動パターンのコマンドを遊技毎に決定する変動パターンコマンド決定手段と、
前記遊技領域に設けられ、遊技球が内部を通過可能なスルーチャッカと、
このスルーチャッカを遊技球が通過したことに基づいて、普通図柄の当否に係る抽選を行う普通図柄抽選手段と、
前記始動口の入口に設けられ、前記普通図柄抽選手段による抽選で普図当たりに当選した場合に開閉して、遊技球の前記始動口への入賞を容易とする普通電動役物と、
前記遊技領域に設けられた特別電動役物と、
前記特別図柄抽選手段による抽選で前記特図当たりに当選した場合に、前記特別電動役物を所定回数だけ開閉して大当たり遊技を提供する大当たり遊技制御手段と、
遊技に関する演出および予告を表示する演出表示装置と、
複数種類の演出態様が前記変動パターンと予め対応づけられて記憶された演出態様記憶部と、
遊技毎に決定された前記特別図柄の変動時間に対応づけられている演出態様の中から前記演出表示装置に表示するように制御される演出態様を決定する演出態様決定手段と、
複数種類の予告パターンが記憶された予告テーブルと、
この予告テーブルを参照して遊技に用いる予告パターンを決定させるとともに、当該決定した予告パターンを前記演出表示装置へ表示するように制御する予告表示制御手段と、
を備え、
前記特別図柄抽選手段による抽選をするために用いるテーブルであって、特図当たりに当選する確率が低い特別図柄低確率判定テーブルと、
この特別図柄低確率判定テーブルより特図当たりに当選する確率が高い特別図柄高確率判定テーブルと、
前記特別図柄が変動中である場合に、前記特別図柄抽選手段による抽選の当否に基づく判定をしないように該判定を要するものを保留として順次記憶する特別図柄用保留記憶部と、を有し、
前記普通図柄抽選手段による抽選をするために用いる判定テーブルであって、普図当たりに当選する確率が低い普通図柄低確率判定テーブルと、
この普通図柄低確率判定テーブルより普図当たりに当選する確率が高い普通図柄高確率判定テーブルと、を有し、
前記特別図柄抽選手段による判定の結果に基づく遊技状態として、
前記特別図柄低確率判定テーブルを参照する特図通常遊技状態と、
前記特別図柄高確率判定テーブルを参照する特図高確率遊技状態と、が用意され、
前記普通図柄抽選手段による判定の結果に基づく遊技状態として、
前記普通図柄低確率判定テーブルを参照する普図通常遊技状態と、
前記普通図柄高確率判定テーブルを参照する普図高確率遊技状態と、が用意されており、
所定条件を達成することにより、
前記特別図柄に係る遊技状態を前記特図通常遊技状態と前記特図高確率遊技状態の何れかに設定し、
前記普通図柄に係る遊技状態を前記普図通常遊技状態と前記普図高確率遊技状態の何れかに設定する遊技状態設定手段を備えているとともに、
前記特別図柄用保留記憶部に記憶される前記保留を前記判定前に先読みすることに基づいて先読みコマンドを決定する構成を備え、
前記特別図柄の種類の決定に基づいて、前記大当たり遊技後に前記普図高確率遊技状態が継続する特定遊技区間を設定するパチンコ機において、
前記特別図柄の変動時間には、
該変動時間内で前記演出態様がリーチとならない場合のリーチ無し変動時間と、
このリーチ無し変動時間より長い時間であって、該変動時間内で前記演出態様がリーチとなる場合のリーチ有り変動時間とがあり、
前記特別図柄用保留記憶部の記憶個数のそれぞれに対応付けられた前記リーチ無し変動時間が異なる変動パターンの場合を含んで構成された第１変動時間テーブルと、
前記特別図柄用保留記憶部の記憶個数のそれぞれに対応付けられた前記リーチ無し変動時間が同一の時間ｔ１となるような変動パターンに基づいて構成された第２変動時間テーブルと、を有し、
前記時間ｔ１は、前記第１変動時間テーブルに記憶されている前記リーチ無し変動時間のうち最も短い時間以下となるように設定されており、
前記遊技状態設定手段が前記特別図柄および前記普通図柄に係る遊技状態を前記特図通常遊技状態および前記普図通常遊技状態にそれぞれ設定した通常遊技状態において、
前記変動パターンコマンド決定手段は、
前記演出態様がリーチとならない場合の前記特別図柄の変動時間を含むコマンドを、前記第１変動時間テーブルを参照して決定し、
前記大当たり遊技後の前記特定遊技区間において、
前記変動パターンコマンド決定手段は、
前記演出態様がリーチとならない場合の前記特別図柄の変動時間を含むコマンドを、前記第２変動時間テーブルを参照して決定し、
前記予告表示制御手段は、
前記特定遊技区間中に、前記リーチ有り変動時間に対応して前記リーチとなる演出態様が表示される場合には、
該変動時間内でリーチとなる演出態様の表示開始前に前記予告パターンが表示されることのないようにし、
前記特別図柄用保留記憶部に記憶されている前記保留の先読み（以下、「先読み対象保留」という）に基づいて、前記特別図柄の変動時間が前記リーチ有り変動時間である旨の前記先読みコマンドが決定されるとともに、
前記先読み対象保留より先に記憶されている前記保留（以下、「先行保留」という）に基づいて決定される前記先読みコマンドが、全て、前記特別図柄の変動時間が前記リーチ無し変動時間である旨のものと決定される場合に、
前記先行保留の個数に応じた前記予告テーブルを参照させ、当該参照に基づいて決定した予告パターンを前記演出表示装置へ表示するように制御する
ことを特徴とするパチンコ機。
【請求項２】
請求項１の記載において、
所定の前記特別図柄の決定に応じて、前記普図高確率遊技状態が継続する予め定められたＮａ回の遊技に基づく特定遊技区間が設定され、前記大当たり遊技後に該特定遊技区間における遊技が継続している場合であって、
前記先読み対象保留に基づく遊技の順番が、前記特定遊技区間の開始から前記Ｎａ回目に相当するものである場合には、
前記先読み対象保留に係る前記先読みに基づいて、前記特図当たりである旨の先読みコマンドが決定されるときにおいて、
前記予告表示制御手段は、
前記先行保留に基づく遊技が行われている間に、前記予告パターンを表示するよう制御する
ことを特徴とするパチンコ機。
【請求項３】
請求項１または２の記載において、
前記予告パターンには、
１回の表示時間が前記時間ｔ１以内となるように構成された複数種類の単位予告演出のうち１つで構成された単発予告パターンと、
複数個を組み合わせて構成された連続予告パターンと、が含まれ、
前記予告表示制御手段は、
前記先行保留に基づく遊技が行われている間に、前記決定に係る予告パターンを表示するよう制御し、
前記先行保留が１個の場合には、前記単発予告パターンの中から何れかを決定し、その決定に係る単発予告パターンを前記１個の先行保留に基づく遊技中に表示するよう制御し、
前記先行保留が複数個の場合には、前記連続予告パターンの中から何れかを決定し、その決定に係る連続予告パターンを、遊技毎に１つの前記単位予告演出を表示するようにして、前記複数個の先行保留に基づく複数回の遊技に亘って、前記複数個の単位予告演出を順次表示するよう制御する
ことを特徴とするパチンコ機。
【請求項４】
請求項２または３の記載において、
前記通常遊技状態での遊技が行われている通常遊技区間中に、
前記変動パターンコマンド決定手段が、
遊技毎における前記変動パターンのコマンドを、前記特別図柄の変動時間が前記リーチ有り変動時間とする旨を含むものに決定した場合に、
前記予告表示制御手段は、
前記リーチ有り変動時間に対応付けられた前記演出態様が表示される前に、
前記単発予告パターンまたは前記連続予告パターンを前記演出態様の予告として表示するよう制御する
ことを特徴とするパチンコ機。